(57)【要約】【課題】客の安全や商品の衛生を確保しながら、客側の透明部の清掃作業が安全且つ簡易に行われるショーケースを提供する。【解決手段】ショーケースは、物品の陳列室を互いに協働して区画する壁のうち、客側の正面壁１４に透明部を有する。ショーケースは、陳列室から離間する方向に平行移動可能に透明部を支持する支持装置を備える。【選択図】図６
2008167927.tif 000002
【特許請求の範囲】
【請求項１】
物品の陳列室を互いに協働して区画する壁のうち、客側の正面壁に透明部を有するショーケースにおいて、
前記陳列室から離間する方向にて平行移動可能に前記透明部を支持する支持装置を備える
ことを特徴とするショーケース。
【請求項２】
前記壁はメインフレームによってそれぞれ支持され、
前記支持装置は前記透明部と前記メインフレームとの間に設けられている
ことを特徴とする請求項１に記載のショーケース。
【請求項３】
前記ショーケースは、前記陳列室の下に区画され、前記物品を温めるための加熱システムの少なくとも一部を収容した機械室を更に備え、
前記支持装置は、
前記機械室内に水平に配置されたガイドレールと、
前記ガイドレールにスライド可能に係合するとともに前記透明部に一体に固定されたスライドバーと、
を含む
ことを特徴とする請求項１又は２に記載のショーケース。
【発明の詳細な説明】
【技術分野】
【０００１】
本発明は、商品等の物品を陳列するショーケースに係り、特に、温かい商品を保温しながら陳列するのに適したショーケースに関する。
【背景技術】
【０００２】
ショーケースには、例えばコンビニエンスストア等のカウンタ上に設置され、温かい商品（焼き鳥やから揚げ等）の陳列に使用されるものがある（特許文献１）。
特許文献１のショーケースは、陳列室を覆う前面がガラス等の透明壁により形成されるが、透明壁の内面を清掃するため、透明壁の下側に、常温領域を覆う回動可能な前扉が設けられている。このショーケースによれば、客は陳列室内に手を直接入れることはできず、客の安全や商品の衛生が確保されるものと考えられる。
【特許文献１】特開2006-158804号公報
【発明の開示】
【発明が解決しようとする課題】
【０００３】
特許文献１のショーケースでは、前扉が回動して開くものの、前面透明壁自体は固定されている。このため、前面透明壁の内面を清掃するには、作業者は、陳列室内のトレイを邪魔にならないよう移動させた上で、前扉から手を入れて上方に伸ばさなければならない。このような無理な姿勢では、清掃は困難である。特に、ショーケースの背が高かったり、幅が広い場合には、十分に清掃できない領域が生ずるおそれもある。更に、陳列室内には高温になっている部位もあり、作業者は火傷にも注意しなければならない。
【０００４】
本発明は上述した事情に基づいてなされ、その目的とするところは、客の安全や商品の衛生を確保しながら、客側の透明部の清掃作業が安全且つ簡易に行われるショーケースを提供することにある。
【課題を解決するための手段】
【０００５】
上記の目的を達成するために、物品の陳列室を互いに協働して区画する壁のうち、客側の正面壁に透明部を有するショーケースにおいて、前記陳列室から離間する方向に平行移動可能に前記透明部を支持する支持装置を備えることを特徴とするショーケースが提供される（請求項１）。
好ましくは、前記壁はメインフレームによってそれぞれ支持され、前記支持装置は前記透明部と前記メインフレームとの間に設けられる（請求項２）。
【０００６】
好ましくは、前記ショーケースは、前記陳列室の下に区画され、前記物品を温めるための加熱システムの少なくとも一部を収容した機械室を更に備え、前記支持装置は、前記機械室内に水平に配置されたガイドレールと、前記ガイドレールにスライド可能に係合するとともに前記透明部に一体に固定されたスライドバーとを含む（請求項３）。
【発明の効果】
【０００７】
本発明の請求項１のショーケースでは、透明部の内面を清掃する場合、透明部を平行移動させて陳列室から離間させれば、作業者は、透明部と陳列室との隙間に対し、上下左右から無理なく手を入れることができる。
このため、このショーケースの透明部の内面は、隅々まで容易に綺麗に清掃される。また、作業者は、陳列室内に手を入れる必要がないため、高温になっている部位に接触する虞もなく、安全に清掃作業が行われる。
【０００８】
請求項２のショーケースは、メインフレームによって壁がそれぞれ支持され、且つ、支持装置が透明部とメインフレームとの間に設けられているため、生産性が高く、安価である。
請求項３のショーケースでは、機械室にガイドレールが配置されるため、スペースが有効に活用され、支持装置を設けたことによるショーケースの大型化が防止される。また、ガイドレールに対してスライドバーがスライドすることによって透明部が平行移動するため、透明部を片手でも容易に平行移動させることができる。更に、機械室が陳列室の下にあるため、ショーケースのデザインの自由度も高い。
【発明を実施するための最良の形態】
【０００９】
図１は、本発明の一実施形態のショーケースを示す。ショーケースは、例えばコンビニエンスストア、スーパーストア等の店舗で使用され、店舗のカウンタ上に設置される。ショーケース内には、焼き鳥やから揚げ等の商品が陳列される。
図２は、ショーケースの内部構造を概略的に示し、ショーケースの内部には、陳列室２及び機械室４が区画される。陳列室２は機械室４の上方に位置し、陳列室２内には、例えば２列３段の棚６が設置される。各棚６の上にはバット８が配置され、バット８の上に商品が並べられる。
【００１０】
また各棚６の下面には、例えば電気抵抗式のヒータ（図示せず）が取付けられ、各ヒータは、電源ボックス１０と電気的に接続される。電源ボックス１０は機械室４の中央に配置され、電源ボックス１０からヒータに電力が供給されると、棚６及びバット８が加熱され、もって商品が加熱される。
以下、ショーケースの筐体構造について説明する。
【００１１】
図３は、ショーケースの概略的な分解斜視図であり、ショーケースはメインフレーム１２を備える。メインフレーム１２は、高さ方向に延びる複数の柱と、柱と柱とを繋ぐ梁とから構成される。なお、図２中、メインフレーム１２は省略した。
メインフレーム１２は、客側に配置される正面壁１４、店員側に配置される背面壁１６、左右の側壁１８、上壁２０及び下壁２２を支持し、これらの壁１４,１６,１８,２０,２２は、互いに協働して１つの空間を仕切っている。この空間が、仕切り壁によって上側の陳列室２と下側の機械室４とに区画される（図２参照）。
【００１２】
上壁２０及び下壁２２は、例えばステンレス板であり、メインフレーム１２に対して例えば螺子によってそれぞれ固定される。電源ボックス１０は、下壁２２の略中央部に配置される。側壁１８は、例えばガラス板であり、メインフレーム１２に対して例えば螺子により固定される。
背面壁１６は、ステンレス製の帯状の背板２４と２枚のガラス扉２６によって構成されている。背板２４は、メインフレーム１２の下側に例えば螺子によって固定され、機械室４を仕切っている。ガラス扉２６は、上壁２０と背板２４との間の開口部にスライド可能に配置され、陳列室２を仕切る。
【００１３】
客側に配置される正面壁１４の下側の部分は、扁平な箱形状をなすステンレス製の壁体２７により構成され、壁体２７は機械室４を仕切っている。壁体２７の上端には、四角形のサッシ２８が斜め傾斜した状態で固定され、サッシ２８にはガラス板３０（透明部）が嵌め込まれている。サッシ２８及びガラス板３０（以下、これらをまとめてガラス窓ともいう）は、正面壁１４の上側の部分を構成し、陳列室２を仕切っている。
【００１４】
正面壁１４は、メインフレーム１２に直接には固定されておらず、正面壁１４とメインフレーム１２との間には、支持装置が設けられている。正面壁１４は、支持装置により、メインフレーム１２に対し離間可能に支持されている。換言すれば、正面壁１４は、支持装置により、陳列室２から離間する方向に平行移動可能に支持されている。
具体的には、機械室４内には、２本のガイドレール３２が配置されており、ガイドレール３２はメインフレーム１２に固定されている。すなわち、ガイドレール３２は、電源ボックス１０を挟んでショーケースの幅方向に離間し、各ガイドレール３２は、ショーケースの前後方向に水平に延びている。
【００１５】
各ガイドレール３２には、例えば中空角管形状のスライドバー３４がスライド可能に係合しており、スライドバー３４も前後方向に延びている。スライドバー３４は、断面Ｌ字状のブラケット３６に添うように固定され、ブラケット３６の先端は、壁体２７の裏面に固定されている。つまり、ガラス窓は、壁体２７及びブラケット３６を介してスライドバー３４に固定されている。そして、ガラス窓は、ガイドレール３２及びスライドバー３４を介してメインフレーム１２により支持され、メインフレーム１２に対して離間する方向（前後方向）に平行移動可能である。
【００１６】
なお、正面壁１４をメインフレーム１２に密着した状態（閉位置）で保持するために、図４及び図５に示したように、壁体２７の裏面の中央部には、弾性変形可能な第１の係止部材３８が取付けられる。第１の係止部材３８は、帯状の板材を折り曲げて形成され、後方に向けて突出している。第１の係止部材３８の突出端寄りの部分には、上方に向けて凸状に折曲された凸部３８ａが形成されている。
【００１７】
一方、メインフレーム１２の梁には、第１の係止部材３８に対向して係止板４０が固定され、係止板４０は、第１の係止部材３８の突出端を受け入れ可能な孔４０ａを有する。正面壁１４が最もメインフレーム１２側に位置しているとき、すなわち閉位置にあるとき、第１の係止部材３８の凸部３８ａは、孔４０ａの縁と係合する。第１の係止部材３８には、係合状態を解除するためのレバー４２が取付けられ、レバー４２を引くと、第１の係止部材３８が弾性変形し、凸部３８ａを孔４０ａから引き抜くことができる。
【００１８】
そして、第２の係止部材として、ブラケット３６の内端には鉄等からなる磁性体４４が取付けられ、下壁２２には、磁性体４４と吸着可能なマグネット４６が固定されている。
なお、スライドバー３４との係合状態を示すため、図４中に、ガイドレール３２を２点鎖線にて示した。
また、ガラス窓のサッシ２８の裏面には、ガラス板３０を囲むようにゴム製のパッキン４８が貼り付けられ、パッキン４８がメインフレーム１２に当接することにより、陳列室２の気密性が確保される。
【００１９】
以下、上述したショーケースの使用方法について説明する。
ショーケース内に焼き鳥やから揚げ等の温かい商品を陳列する場合には、店員は、背面壁１６を構成するガラス扉２６のうち一方を左右にスライドさせて開き、商品を載せたバット８を棚６の上に配置するか、すでに棚６の上にあるバット８内に商品を置けばよい。あるいは、棚６の上に直接商品を置いてもよい。棚６の上に陳列された商品は、電源ボックス１０からヒータに電力を供給することにより、ヒータによって加熱され、温かい状態に保たれる。
【００２０】
一方、客は、正面壁１４のガラス窓を通して陳列された商品を目視することができ、所望の商品を店員に指示して取り出させ、受け取ることができる。
ここで商品によっては、油等がガラス窓の内面に付着する。ガラス窓の内面を清掃する場合には、作業者は、ショーケースの前方若しくは斜め前方に立ち、正面壁１４の下方からレバー４２に手をかけて引っ張る。これにより、第１の係止部材３８が弾性変形して係止板４０の孔４０ａから抜けるとともに、第２の係止部材の磁性体４４とマグネット４６が離間し、第１の係止部材３８及び第２の係止部材による係止が解除され、正面壁１４がメインフレーム１２即ち陳列室２から離間する。かくして図６に示したように、正面壁１４とメインフレーム１２との間に適当な隙間を確保した後、この隙間に手を入れてガラス窓の内面を払拭すればよい。
【００２１】
上述したように、一実施形態のショーケースでは、ガラス窓（透明部）の内面を清掃する場合、ガラス窓を前方に平行移動させてメインフレーム１２から離間させれば、作業者は、ガラス窓と陳列室２との隙間に対し上下左右から無理なく手を入れることができる。
このため、このショーケースのガラス窓の内面は、隅々まで容易に綺麗に清掃される。また、作業者は、陳列室２内に手を入れる必要がないため、高温になっている部位に接触する虞もなく、安全に清掃作業が行われる。
【００２２】
その上、ガイドレール３２に対してスライドバー３４がスライドすることによってガラス窓が平行移動するため、ガラス窓を片手でも容易に平行移動させることができる。
本発明は、上記した一実施形態に限定されることはなく種々の変形が可能である。
一実施形態のショーケースでは、メインフレーム１２によって、正面壁１４、背面壁１６、側壁１８、上壁２０及び下壁２２が支持されていたけれども、フレームレス構造を採用してもよい。すなわち、背面壁１６、側壁１８、上壁２０及び下壁２２が相互に直接接続されていてもよい。この場合、ガイドレール３２を、側壁１８又は下壁２２に固定してもよい。
【００２３】
あるいは、機械室４の部分のみ板金により成形された箱体を使用し、箱体の上に陳列室２のためのメインフレームを組んでもよい。このように少なくとも陳列室２の部分でフレーム構造を採用すれば、ショーケースの生産性を高め、価格を抑えることができる。
一実施形態のショーケースでは、スライドバー３４がブラケット３６を介して壁体２７に一体に固定されていたけれども、スライドバー３４は、ガラス板３０に一体に固定されていればよい。
【００２４】
また、ガイドレール３２及びスライドバー３４が、陳列室２の下方の機械室４に配置され、スライドバー３４が正面壁１４の壁体２７に連結されていたけれども、ガイドレール３２及びスライドバー３４を陳列室２の上方に配置し、スライドバー３４を正面壁１４の上側に連結してもよい。
ただし、機械室４内にガイドレール３２及びスライドバー３４を配置すれば、ショウケースの大型化を招くことがないので好ましい。また、機械室４が陳列室２の下にあるため、ショーケースのデザインの自由度も高い。
【００２５】
また、ガイドレール３２及びスライドバー３４の数も特には限定されず、正面壁１４の大きさが小さい場合には１本でもよく、通常はそれぞれ２本以上であるのが好ましい。
更に、正面壁１４が平行移動する方向、すなわちガイドレール３２及びスライドバー３４の長手方向は、水平方向に対し若干傾斜していてもよい。
また更に、正面壁１４をメインフレーム１２に当接状態で保持するための係止装置も、特に限定されることはない。例えば、第２の係止部材では、磁性体４４がブラケット３６に取付けられ、マグネット４６が底壁２２に取付けられていたが、磁性体４４を底壁２２に取付け、マグネット４６をブラケット３６に取付けてもよい。また、磁性体４４はブラケット３６と一体に成形されていてもよく、ブラケット３６及び底壁２２の双方に互いに吸着するマグネットを配置してもよい。
【００２６】
また例えば、上述したショーケースでは、正面壁１４が閉位置にあるとき、ゴム製のパッキン４８によって、ガラス窓とメインフレーム１２との間がシールされていたけれども、磁性を有するパッキンを用いれば、パッキンがメインフレーム１２に吸着することによって、正面壁１４の移動が制限される。ただし、正面壁１４が予期しないときに開くのを防止すべく、２つ以上の係止部材によって正面壁１４の移動を制限するのが好ましい。
【００２７】
一実施形態では、電気抵抗式のヒータによって商品を加熱したけれども、商品の加熱手段は特に限定されず、ランプ式のヒータを用いてもよい。
最後に、本発明のショーケースは、商品を加熱しながら陳列するのに適しているものの、冷蔵・冷凍用のショーケースにも適用可能であるのは勿論である。
【図面の簡単な説明】
【００２８】
【図１】本発明の一実施形態のショーケースの概略的な斜視図である。
【図２】図１のショーケースの内部構造を概略的に示す断面図である。
【図３】図１のショーケースの概略的な分解斜視図である。
【図４】図１のショーケースに適用された正面壁の背面を概略的に示す図である。
【図５】図４の正面壁のための係止装置近傍を概略的に示す図である。
【図６】図１のショーケースをその正面壁を引き出した状態にて示す側面図である。
【符号の説明】
【００２９】
１２        メインフレーム
１４        正面壁
【図１】
2008167927.tif 000003
【図２】
2008167927.tif 000004
【図３】
2008167927.tif 000005
【図４】
2008167927.tif 000006
【図５】
2008167927.tif 000007
【図６】
2008167927.tif 000008